(57)【要約】【課題】筐体内に貯留される湯水の水位の誤検知を抑制することができるシスターンを提供する。【解決手段】本発明の一態様に係るシスターンは、筐体と、電極を有する水位センサとを備える。筐体は、傾斜壁部を含む上壁と、側壁とを有する。上壁には、上壁を厚さ方向に貫通し、かつ、電極が挿通される電極孔が設けられる。側壁には、側壁を厚さ方向に貫通する補水口が設けられる。傾斜壁部は、補水口と対向し、補水口の中心軸に沿う第１方向において電極孔よりも補水口に近い位置に配置され、かつ、補水口から離れるにしたがって下方に傾斜する。【選択図】図５
2019109034.tif 000002
【特許請求の範囲】
【請求項１】
傾斜壁部を含む上壁と、側壁とを有する筐体と、
電極を有する水位センサとを備え、
前記上壁には、前記上壁を厚さ方向に貫通し、かつ、前記電極が挿通される電極孔が設けられ、
前記側壁には、前記側壁を厚さ方向に貫通する補水口が設けられ、
前記傾斜壁部は、前記補水口と対向し、前記補水口の中心軸に沿う第１方向において前記電極孔よりも前記補水口に近い位置に配置され、かつ、前記補水口から離れるにしたがって下方に向かうように傾斜する、シスターン。
【請求項２】
前記電極孔は、平面視において、前記補水口の中心軸を通る直線から離間して配置される、請求項１に記載のシスターン。
【請求項３】
前記傾斜壁部は、前記電極孔が設けられた前記上壁の部分よりも上方に配置される、請求項１又は請求項２に記載のシスターン。
【請求項４】
前記筐体は、前記上壁から下方に向かって延在するとともに、平面視において前記第１方向と交差すように延在する第１垂下壁をさらに有し、
前記第１垂下壁は、前記第１方向において、前記電極孔と前記傾斜壁部との間に配置される、請求項１〜請求項３のいずれか１項に記載のシスターン。
【請求項５】
前記第１垂下壁は、平面視において、前記第１方向と直交する第２方向に沿って延在する、請求項４に記載のシスターン。
【請求項６】
前記第１垂下壁は、平面視において、第１端と、前記第１端の反対側の端である第２端とを含み、
平面視において、前記第１方向における前記第１端と前記電極孔との距離は、前記第１方向における前記第２端と前記電極孔との距離よりも小さく、
平面視において、前記第１方向と直交する第２方向における前記第１端と前記電極孔との距離は、前記第２方向における前記第２端と前記電極孔との距離よりも大きい、請求項４に記載のシスターン。
【請求項７】
前記第１垂下壁は、前記上壁と一体に形成される、請求項４〜請求項６のいずれか１項に記載のシスターン。
【請求項８】
前記筐体は、前記上壁から下方に向かって延在するとともに、平面視において前記第１垂下壁と平行に延在する複数の第２垂下壁と、前記上壁から下方に向かって延在するとともに、平面視において前記第１垂下壁と交差するように延在する複数の第３垂下壁とをさらに有し、
前記第２垂下壁及び前記第３垂下壁は、前記上壁と一体に形成される、請求項７に記載のシスターン。
【請求項９】
請求項１〜請求項８のいずれか１項に記載の前記シスターンを備える、温水暖房装置。
【発明の詳細な説明】
【技術分野】
【０００１】
本発明は、シスターン及び温水暖房装置に関する。
【背景技術】
【０００２】
従来から、特許文献１（特許第４１３７８７８号公報）に記載のシスターン、特許文献２（特許第４１８８９４５号公報）に記載のシスターン及び特許文献３（特開２０１６−３８１５６号公報）に記載のシスターンが知られている。
【０００３】
特許文献１及び特許文献２に記載のシスターンにおいて、筐体は、上壁を有している。上壁には、上壁を厚さ方向に貫通する補水口が設けられている。特許文献１及び特許文献２に記載のシスターンは、水位電極を含む水位センサを有している。
【０００４】
特許文献３に記載のシスターンにおいて、筐体は、上壁と、側壁とを有している。上壁には、上壁を厚さ方向に貫通する電極孔が設けられている。側壁には、側壁を厚さ方向に貫通する補水口が設けられている。特許文献３に記載のシスターンは、水位電極を含む水位センサを有している。水位電極は、電極孔に挿通されている。
【先行技術文献】
【特許文献】
【０００５】
【特許文献１】特許第４１３７８７８号公報
【特許文献２】特許第４１８８９４５号公報
【特許文献３】特開２０１６−３８１５６号公報
【発明の概要】
【発明が解決しようとする課題】
【０００６】
特許文献１に記載のシスターン、特許文献２に記載のシスターン及び特許文献３に記載のシスターンにおいて、水位センサは、筐体内に貯留された湯水と水位電極との接触を検知することにより、筐体内に貯留された湯水の水位を検知する。
【０００７】
特許文献１に記載のシスターン及び特許文献２のシスターンにおいては、補水口が筐体の上壁に設けられているため、筐体を薄型化することが難しい場合がある。
【０００８】
特許文献３に記載のシスターンにおいては、電極孔が筐体の上壁に設けられている一方で、補水口は筐体の側壁に設けられている。そのため、補水口から筐体内部に供給される湯水の方向と上面との方向が平行に近くなっている。その結果、補水口から筐体内部に供給される湯水は、上壁をつたって水位電極に達しやすい。補水口から筐体内部に供給された湯水が上壁をつたって水位電極と接触した場合、水位センサは、筐体内に貯留された湯水の水位が低いにもかかわらず、筐体内に貯留された湯水の水位が上昇したものと誤検知してしまうおそれがある。
【０００９】
本発明は、上記のような従来技術の問題点に鑑みてなされたものである。より具体的には、本発明は、筐体内に貯留される湯水の水位の誤検知を抑制することができるシスターン及び温水暖房装置を提供する。
【課題を解決するための手段】
【００１０】
本発明の一態様に係るシスターンは、筐体と、電極を有する水位センサとを備える。筐体は、傾斜壁部を含む上壁と、側壁とを有する。上壁には、上壁を厚さ方向に貫通し、かつ、電極が挿通される電極孔が設けられる。側壁には、側壁を厚さ方向に貫通する補水口が設けられる。傾斜壁部は、補水口と対向し、補水口の中心軸に沿う第１方向において電極孔よりも補水口に近い位置に配置され、かつ、補水口から離れるにしたがって下方に向かうように傾斜する。
【００１１】
本発明の一態様に係るシスターンにおいては、補水口から筐体の内部に供給される湯水は、上壁をつたって電極に達する前に傾斜壁部と接触することにより、その勢いが減殺される。その結果、補水口から筐体の内部に供給された湯水は、上壁をつたって電極に達しにくい。そのため、本発明の一態様に係るシスターンにおいては、筐体内に貯留される湯水の水位の誤検知を抑制することができる。
【００１２】
上記のシスターンにおいて、電極孔は、平面視において、補水口の中心軸を通る直線から離間して配置されていてもよい。この場合には、補水口から筐体の内部に供給された湯水は、電極にさらに達しにくくなる。
【００１３】
上記のシスターンにおいて、傾斜壁部は、電極孔が設けられた上壁の部分よりも上方に配置されていてもよい。
【００１４】
上記のシスターンにおいて、筐体は、上壁から下方に向かって延在するとともに、平面視において第１方向と交差するように延在する第１垂下壁をさらに有していてもよい。第１垂下壁は、第１方向において、電極孔と傾斜壁部との間に配置されていてもよい。
【００１５】
この場合には、傾斜壁部と接触して勢いが減殺された湯水は、上壁をつたって電極に達する前に第１垂下壁とさらに接触することにより、勢いがさらに減殺される。そのため、この場合、補水口から筐体の内部に供給された湯水は、電極にさらに達しにくくなる。
【００１６】
上記のシスターンにおいて、第１垂下壁は、平面視において、第１方向と直交する第２方向に沿って延在していてもよい。この場合には、補水口から筐体１の内部に供給される湯水の流れの方向と第１垂下壁の延在方向とが直交するため、この湯水の勢いが特に強く減殺される。そのため、この場合には、補水口から筐体の内部に供給された湯水は、電極にさらに達しにくくなる。
【００１７】
上記のシスターンにおいて、第１垂下壁は、平面視において、第１端と、第１端の反対側の端である第２端とを含んでいてもよい。平面視において、第１方向における第１端と電極孔との距離は、第１方向における第２端と前記電極孔との距離よりも小さく、第２方向における第１端と電極孔との距離は、第２方向における第２端と電極孔との距離よりも大きくてもよい。
【００１８】
この場合には、第１垂下壁に接触した湯水は、第１垂下壁により電極孔から遠ざかるように案内されるため、電極にさらに達しにくくなる。
【００１９】
上記のシスターンにおいて、第１垂下壁は、上壁と一体に形成されていてもよい。この場合、第１垂下壁は、補水口から筐体の内部に供給される湯水の勢いを減殺するための部材としてのみならず、上壁を補強するための補強リブとしても機能する。
【００２０】
上記のシスターンにおいて、筐体は、上壁から下方に向かって延在するとともに、平面視において第１垂下壁と平行に延在する複数の第２垂下壁と、上壁から下方に向かって延在するとともに、平面視において第１垂下壁と交差するように延在する複数の第３垂下壁とをさらに有していてもよい。第２垂下壁及び第３垂下壁は、上壁と一体に形成されていてもよい。この場合には、第２垂下壁及び第３垂下壁により、上壁をさらに補強することができる。
【００２１】
本発明の一態様に係る温水暖房装置は、上記のシスターンを備える。本発明の一態様に係る温水暖房装置によると、シスターンの筐体内に貯留される湯水の水位の誤検知を抑制することができる。
【発明の効果】
【００２２】
本発明の一態様に係るシスターン及び温水暖房装置によると、シスターンの筐体内に貯留される湯水の水位の誤検知を抑制することができる。
【図面の簡単な説明】
【００２３】
【図１】実施形態１に係るシスターンにおける筐体１の上面図である。
【図２】実施形態１に係るシスターンにおける筐体１の底面図である。
【図３】実施形態１に係るシスターンにおける筐体１の側面図である。
【図４】図１のＩＶ−ＩＶにおける断面図である。
【図５】図１のＶ−Ｖにおける断面図である。
【図６】実施形態１に係るシスターンにおける蓋部１ｄの底面図である。
【図７】実施形態１に係るシスターンの効果を説明するための模式図である。
【図８】実施形態２に係るシスターンにおける蓋部１ｄの底面図である。
【図９】実施形態２に係るシスターンの効果を説明するための模式図である。
【図１０】実施形態３に係る温水暖房装置の構成を示す模式図である。
【発明を実施するための形態】
【００２４】
本発明の実施形態を、図面を参照して説明する。なお、以下の図面においては、同一又は相当する部分に同一の符号を付すものとし、重複する説明は繰り返さない。
【００２５】
（実施形態１）
以下に、実施形態１に係るシスターンの構成を、図１〜図６を参照して説明する。
【００２６】
図１〜図３に示されるように、実施形態１に係るシスターンは、筐体１と、水位センサ２とを有している。筐体１は、上壁１１と、側壁１２と、底壁１３とを有している。筐体１は、例えば樹脂材料により形成されている。好ましくは、筐体１の高さは、筐体１の幅Ｗ１及び幅Ｗ２よりも小さい。なお、幅Ｗ１は、後述する第２方向ＤＲ２に沿う方向における筐体１の幅であり、幅Ｗ２は、後述する第１方向ＤＲ１に沿う方向における筐体１の幅である。
【００２７】
筐体１は、例えば、平面視において、第１部分１ａと、第２部分１ｂと、第３部分１ｃとを有している。以下において、平面視とは、上壁１１に直交する方向から筐体１をみる場合をいう。第２部分１ｂ及び第３部分１ｃは、第１部分１ａから突出している部分である。このことを別の観点からいえば、筐体１は、平面視において、コの字形の形状を有している。但し、平面視における筐体１の形状は、これに限られるものではない。例えば、筐体１は、平面視において、矩形形状を有していてもよい。
【００２８】
図２に示されるように、底壁１３には、配管接続口１３ａと、配管接続口１３ｂと、配管接続口１３ｃとが設けられている。好ましくは、配管接続口１３ａ及び配管接続口１３ｂは、第１部分１ａに位置する底壁１３に設けられている。好ましくは、配管接続口１３ｃは、第３部分１ｃに位置する底壁１３に設けられている。配管接続口１３ａ、配管接続口１３ｂ及び配管接続口１３ｃは、筐体１の内部と連通している。
【００２９】
上壁１１には、電極孔１１ａと、電極孔１１ｂとが設けられている。好ましくは、電極孔１１ａ及び電極孔１１ｂは、第１部分１ａに位置する上壁１１に設けられている。図４に示されるように、電極孔１１ａ及び電極孔１１ｂは、上壁１１を厚さ方向に貫通している。上壁１１は、傾斜壁部１１ｃを有している。
【００３０】
水位センサ２は、電極２１と、電極２２とを有している。水位センサ２は、電極２１及び電極２２と筐体１内に貯留されている湯水との接触を検知することにより、筐体１内に貯留されている湯水の水位を検知する。より具体的には、水位センサ２は、電極２１及び電極２２と筐体１内に貯留されている湯水とが接触した際に流れる電流を検知することにより、筐体１内に貯留されている湯水の水位を検知する。
【００３１】
電極２１及び電極２２は、電極孔１１ａ及び電極孔１１ｂにそれぞれ挿通されている。電極２１の長さと電極２２の長さとは、互いに異なっている。より具体的には、電極２１は、電極２２よりも長い。これにより、水位センサ２は、筐体１内に貯留されている湯水の複数の水位を検知することができる。例えば、電極２１により検知される水位よりも筐体１内に貯留されている湯水の水位が低い場合、補水口１２ａから筐体１の内部に湯水が供給され、電極２２により検知される水位よりも筐体１内に貯留されている湯水の水位が高い場合、補水口１２ａから筐体１の内部への湯水の供給が停止される。
【００３２】
図５に示されるように、側壁１２には、補水口１２ａが設けられている。好ましくは、補水口１２ａは、第２部分１ｂに位置する側壁１２に設けられている。補水口１２ａは、側壁１２を厚さ方向に貫通している。補水口１２ａからは、筐体１の内部に対して、湯水が供給される。以下においては、補水口１２ａの中心軸に沿う方向を、第１方向ＤＲ１という。
【００３３】
補水口１２ａの中心軸を通る直線を、直線Ｌとする。平面視において、電極孔１１ａ及び電極孔１１ｂは、直線Ｌから離間した位置に配置されている。
【００３４】
傾斜壁部１１ｃは、補水口１２ａに対向している。傾斜壁部１１ｃは、第２部分１ｂに位置していることが好ましい。傾斜壁部１１ｃは、第１方向ＤＲ１において、補水口１２ａが設けられている側壁１２の部分から離間している。傾斜壁部１１ｃは、補水口１２ａから離れるにしたがって、下方に向かうように傾斜している。傾斜壁部１１ｃは、好ましくは、電極孔１１ａ及び電極孔１１ｂが設けられている上壁１１の部分よりも上方に位置している。なお、以下において、上方とは底壁１３から上壁１１に向かう方向をいい、下方とは上壁１１から底壁１３に向かう方向をいう。
【００３５】
傾斜壁部１１ｃは、水平方向と角度θをなしている。角度θは、０°を超えて９０°未満である。角度θは、３０°以上５０°以下であることが好ましい。角度θは、３５°以上４５°以下であることが特に好ましい。
【００３６】
図１に示されるように、傾斜壁部１１ｃは、第１方向ＤＲ１において、電極孔１１ａ及び電極孔１１ｂよりも補水口１２ａに近い位置に配置されている。このことを別の観点からいえば、傾斜壁部１１ｃは、補水口１２ａから電極孔１１ａ及び電極孔１１ｂが設けられている上壁１１の部分に至るまでの湯水の経路上に配置されている。
【００３７】
図５に示されるように、筐体１は、好ましくは、第１垂下壁１４をさらに有している。第１垂下壁１４は、上壁１１から下方に向かって延在している。図６に示されるように、第１垂下壁１４は、平面視において、第１方向ＤＲ１に交差するように延在している。好ましくは、第１垂下壁１４は、平面視において、第１方向ＤＲ１に直交する方向に延在している。以下においては、第１方向ＤＲ１に直交する方向を、第２方向ＤＲ２という。第１垂下壁１４は、板状の形状を有している。第１垂下壁１４は、好ましくは、上壁１１と一体に形成されている。
【００３８】
筐体１は、複数の第２垂下壁１５をさらに有していてもよい。第２垂下壁１５は、上壁１１から下方に向かって延在している。第２垂下壁１５は、平面視において、第１垂下壁１４と平行に延在している。第２垂下壁１５は、板状の形状を有している。第２垂下壁１５の各々は、間隔を置いて配置されている。第２垂下壁１５は、上壁１１と一体に形成されていることが好ましい。
【００３９】
筐体１は、複数の第３垂下壁１６をさらに有していてもよい。第３垂下壁１６は、上壁１１から下方に向かって延在している。第３垂下壁１６は、平面視において、第１垂下壁１４と交差する方向に延在している。第３垂下壁１６の各々は、平行に延在していることが好ましい。第３垂下壁１６は、板状の形状を有している。第３垂下壁１６の各々は、間隔を置いて配置されている。第３垂下壁１６は、上壁１１と一体に形成されていることが好ましい。
【００４０】
筐体１は、例えば、蓋部１ｄと、本体部１ｅとにより構成されている。蓋部１ｄは、上壁１１と、上壁１１側に位置する側壁１２の部分により構成されている。好ましくは、補水口１２ａは、蓋部１ｄを構成している側壁１２に設けられている。本体部１ｅは、蓋部１ｄを除いた筐体１の残部により構成されている。蓋部１ｄと本体部１ｅとは、例えば熱板溶着により、互いに接合されている。
【００４１】
図４に示されるように、蓋部１ｄは、高さＨ１を有している。第１垂下壁１４、第２垂下壁１５及び第３垂下壁１６は、高さＨ２を有している。高さＨ２は、蓋部１ｄと本体部１ｅとを熱板溶着により接合する際に第１垂下壁１４、第２垂下壁１５及び第３垂下壁１６の端部が溶融してしまうことを避けるために、高さＨ１よりも低いことが好ましい。高さＨ２は、例えば３．３ｍｍ以上であることが好ましい。
【００４２】
以下に、実施形態１に係るシスターンの効果を説明する。
図７に示されるように、補水口１２ａからは、筐体１の内部に湯水が供給される（この湯水の流れは、図７中において、実線矢印で示されている）。傾斜壁部１１ｃは、第１方向ＤＲ１において補水口１２ａと対向しているとともに、第１方向ＤＲ１において電極孔１１ａ及び電極孔１１ｂよりも補水口１２ａに近い位置にある。そのため、この湯水は、上壁１１をつたって電極孔１１ａ及び電極孔１１ｂに達する前に傾斜壁部１１ｃに衝突することにより、勢いが減殺される。
【００４３】
補水口１２ａから供給された湯水が上壁１１をつたって電極２１及び電極２２に達してしまうと、この湯水が水位センサ２の誤検知を引き起こしてしまうおそれがある。この湯水の勢いが減殺されるほど、この湯水は、上壁１１をつたって電極２１及び電極２２が配置されている部分まで達しにくくなる。したがって、実施形態１に係るシスターンによると、筐体１内に貯留されている湯水の水位の誤検知を抑制することができる。
【００４４】
補水口１２ａから供給された湯水は、主として直線Ｌに沿う方向（すなわち、第１方向ＤＲ１）に流れる。実施形態１に係るシスターンにおいて、電極孔１１ａ及び電極孔１１ｂが、平面視において直線Ｌから離間して配置されている場合には、電極孔１１ａ及び電極孔１１ｂが、補水口１２ａから供給された湯水の主たる流れから離れていることになるため、補水口１２ａから供給された湯水は、上壁１１をつたって電極２１及び電極２２が配置されている部分まで達しにくくなる。したがって、この場合には、筐体１内に貯留されている湯水の水位の誤検知をさらに抑制することができる。
【００４５】
実施形態１に係るシスターンにおいて、第１垂下壁１４が設けられている場合、補水口１２ａから供給された湯水は、傾斜壁部１１ｃとの接触により勢いが減殺された後に、第１垂下壁１４と接触する。その結果、この湯水の勢いは、さらに減殺されることになる。したがって、この場合には、筐体１内に貯留されている湯水の水位の誤検知をさらに抑制することができる。
【００４６】
実施形態１に係るシスターンにおいて、第１垂下壁１４が平面視において第２方向ＤＲ２に沿って延在している場合、補水口１２ａから供給された湯水の流れの方向と第１垂下壁１４の延在方向とが直交しているため、この湯水の勢いが特に強く減殺される。したがって、この場合には、筐体１内に貯留されている湯水の水位の誤検知をさらに抑制することができる。
【００４７】
実施形態に係るシスターンにおいて、第１垂下壁１４が上壁１１と一体に形成されている場合、第１垂下壁１４は、補水口１２ａから供給された湯水の勢いを減殺するための部材としてのみならず、上壁１１を補強するための補強リブとしても機能する。
【００４８】
実施形態に係るシスターンにおいて、第２垂下壁１５及び第３垂下壁１６がさらに設けられている場合、上記の補強リブとしての機能がさらに強化される。
【００４９】
（実施形態２）
以下に、実施形態２に係るシスターンの構成を、図８を参照して説明する。なお、以下においては、実施形態１に係るシスターンの構成と異なる点を主に説明し、重複する説明は繰り返さない。
【００５０】
実施形態２に係るシスターンは、筐体１と、水位センサ２とを有している。筐体１は、上壁１１と、側壁１２と、底壁１３とを有している。筐体１は、第１垂下壁１４と、第２垂下壁１５と、第３垂下壁１６とをさらに有している。上壁１１には、電極孔１１ａ及び電極孔１１ｂが設けられている。上壁１１は、傾斜壁部１１ｃを有している。側壁１２には、補水口１２ａが設けられている。これらの点に関して、実施形態２に係るシスターンの構成は、実施形態１に係るシスターンの構成と共通している。
【００５１】
しかしながら、実施形態２に係るシスターンの構成は、第１垂下壁１４の構成の詳細に関して、実施形態１に係るシスターンの構成と相違している。以下においては、この点を詳述する。
【００５２】
図８に示すように、第１垂下壁１４は、第１端１４ａと、第１端１４ａの反対側の端である第２端１４ｂとを有している。第１端１４ａ及び第２端１４ｂは、平面視における第１垂下壁１４の端である。第１垂下壁１４は、平面視において、第１端１４ａから第２端１４ｂに向かって延在している。
【００５３】
平面視において、第１端１４ａと電極孔１１ａ及び電極孔１１ｂとの第１方向ＤＲ１における距離は、第２端１４ｂと電極孔１１ａ及び電極孔１１ｂとの第１方向ＤＲ１における距離よりも小さい。平面視において、第１端１４ａと電極孔１１ａ及び電極孔１１ｂとの第２方向ＤＲ２における距離は、第２端１４ｂと電極孔１１ａ及び電極孔１１ｂとの第２方向ＤＲ２における距離よりも大きい。
【００５４】
以下に、実施形態２に係るシスターンの効果を説明する。なお、以下においては、実施形態１に係るシスターンの効果と異なる点を主に説明し、重複する説明は繰り返さない。
【００５５】
図９に示すように、補水口１２ａから筐体１の内部に供給された湯水は、傾斜壁部１１ｃに衝突した後に、第１垂下壁１４とさらに衝突する（なお、図９中において、この湯水の流れは、実線矢印で示されている）。
【００５６】
上記のとおり、実施形態２に係るシスターンにおいては、平面視において、第１端１４ａと電極孔１１ａ及び電極孔１１ｂとの第１方向ＤＲ１における距離が第２端１４ｂと電極孔１１ａ及び電極孔１１ｂとの第１方向ＤＲ１における距離よりも小さくなっているとともに、第１端１４ａと電極孔１１ａ及び電極孔１１ｂとの第２方向ＤＲ２における距離が第２端１４ｂと電極孔１１ａ及び電極孔１１ｂとの第２方向ＤＲ２における距離よりも大きくなっている。
【００５７】
第１垂下壁１４に衝突した湯水は、第１垂下壁１４の延在方向に沿って移動しやすい。すなわち、第１垂下壁１４に衝突した湯水は、第１垂下壁１４に沿って電極孔１１ａ及び電極孔１１ｂから離れていく方向に案内されるため、上壁１１をつたって電極２１及び電極２２が配置されている部分まで達しにくくなる。したがって、実施形態２に係るシスターンによると、筐体１内に貯留されている湯水の水位の誤検知をさらに抑制することができる。
【００５８】
（実施形態３）
以下に、実施形態３に係る温水暖房装置の構成を、図１０を参照して説明する。
【００５９】
図１０に示すように、実施形態３に係る温水暖房装置は、シスターン３１と、一次熱交換器３２ａ及び二次熱交換器３２ｂと、バーナ３２ｃと、配管３３ａ、配管３３ｂ、配管３３ｃ、配管３３ｄ、配管３３ｅ、配管３３ｆ及び配管３３ｇと、熱動弁３４と、ポンプ３５とを有している。なお、シスターン３１は、上記の実施形態１に係るシスターン又は実施形態２に係るシスターンである。
【００６０】
配管３３ａの一方端は、シスターン３１に接続されている。具体的には、配管３３ａの一方端は、シスターン３１の補水口１２ａに接続されている。配管３３ａの他方端は、上水道に接続されている。配管３３ｂの一方端は、シスターン３１に接続されている。具体的には、配管３３ｂの一方端は、シスターン３１の配管接続口１３ａに接続されている。配管３３ｂの他方端は、配管３３ｃの一方端と配管３３ｄの一方端とが接続している部分に接続されている。配管３３ｃの他方端は、一次熱交換器３２ａに接続されている。配管３３ｄの他方端は、低温暖房端末３６ｂに接続されている。
【００６１】
配管３３ｅは、一方端において一次熱交換器３２ａに接続され、他方端において高温暖房端末３６ａに接続されている。配管３３ｆは、一方端において分岐しており、分岐している一方は、高温暖房端末３６ａに接続され、分岐している他方は、低温暖房端末３６ｂに接続されている。配管３３ｆの他方端は、二次熱交換器３２ｂに接続されている。配管３３ｇの一方端は、二次熱交換器３２ｂに接続されている。配管３３ｇの他方端は、シスターン３１に接続されている。具体的には、配管３３ｇの他方端は、シスターン３１の配管接続口１３ｂに接続されている。
【００６２】
バーナ３２ｃは、一次熱交換器３２ａの近傍に配置されている。熱動弁３４は、配管３３ｄの経路上に配置されている。ポンプ３５は、配管３３ｂの経路上に配置されている。なお、図示していないが、シスターン３１の配管接続口１３ｃには、配管３３ｈが接続されている。
【００６３】
以下に、実施形態３に係る温水暖房装置の動作を説明する。
シスターン３１の筐体１内に貯留されている湯水は、ポンプ３５により、配管３３ｂ及び配管３３ｃを介して、一次熱交換器３２ａに供給される。一次熱交換器３２ａに供給された湯水は、バーナ３２ｃから発せられる燃焼ガスとの間で熱交換を行い、温度が上昇する。一次熱交換器３２ａを通過した湯水は、配管３３ｅを介して、高温暖房端末３６ａに供給される。
【００６４】
高温暖房端末３６ａに供給された湯水は、暖房動作を行うことにより温度が低下する。高温暖房端末３６ａを通過した湯水は、配管３３ｆを介して、二次熱交換器３２ｂに供給される。二次熱交換器３２ｂに供給された湯水は、一次熱交換器３２ａとの間で熱交換を行った燃焼ガスの余熱との間で熱交換が行われ、温度が再び上昇する。二次熱交換器３２ｂを通過した湯水は、配管３３ｇを介して、シスターン３１の筐体１内に戻る。
【００６５】
シスターン３１の筐体１内に貯留されている湯水は、ポンプ３５により、配管３３ｂ、配管３３ｄ及び熱動弁３４を介して、低温暖房端末３６ｂに供給される。低温暖房端末３６ｂに供給された湯水は、暖房動作を行うことにより温度が低下する。低温暖房端末３６ｂを通過した湯水は、配管３３ｆ、二次熱交換器３２ｂ及び配管３３ｇを介して、シスターン３１の筐体１内に戻る。
【００６６】
シスターン３１の水位センサ２は、電極２１及び電極２２と筐体１内に貯留されている湯水との水面との接触を検知することにより、筐体１内に貯留されている湯水の水位を検知する。電極２２よりも長い電極２１が筐体１内に貯留されている湯水と接触していない場合、配管３３ａを介してシスターン３１の筐体１内に湯水が供給される。なお、筐体１内に貯留されている湯水が筐体１内においてオーバーフローする場合、その湯水は、シスターン３１の配管接続口１３ｃ及び配管３３ｈを介して外部に排出される。
【００６７】
なお、配管３３ａを介してシスターン３１の筐体１内に供給される湯水の水圧は、例えば３５０ｋＰａ程度と相対的に高い。上記のとおり、その湯水は傾斜壁部１１ｃと接触することにより勢いが減殺されるため、上壁１１をつたって電極２１及び電極２２に達し難い。そのため、配管３３ａを介してシスターン３１の筐体１内に相対的に高い水圧で湯水を供給したとしても、水位センサ２の誤検知は生じがたい。
【００６８】
配管３３ａを介して筐体１内に湯水が供給されることにより貯留されている湯水の水位が上昇すると、筐体１内に貯留されている湯水の水面と電極２２とが接触する。筐体１内に貯留されている湯水の水面と電極２２との接触が検知されると、配管３３ａを介した筐体１内への湯水の供給は、停止される。
【００６９】
今回開示された実施の形態は全ての点で例示であって、制限的なものではないと考えられるべきである。本発明の範囲は、上記した実施形態ではなく特許請求の範囲によって示され、特許請求の範囲と均等の意味、及び範囲内での全ての変更が含まれることが意図される。
【産業上の利用可能性】
【００７０】
上記の実施形態は、シスターン及びシスターンを用いた温水暖房装置に特に有利に適用される。
【符号の説明】
【００７１】
１  筐体、１ａ  第１部分、１ｂ  第２部分、１ｃ  第３部分、１ｄ  蓋部、１ｅ  本体部、１１  上壁、１１ａ  電極孔、１１ｂ  電極孔、１１ｃ  傾斜壁部、１２  側壁、１２ａ  補水口、１３  底壁、１３ａ，１３ｂ  配管接続口、１４  第１垂下壁、１４ａ  第１端、１４ｂ  第２端、１５  第２垂下壁、１６  第３垂下壁、２  水位センサ、２１，２２  電極、３１  シスターン、３２ａ  一次熱交換器、３２ｂ  二次熱交換器、３２ｃ  バーナ、３３ａ，３３ｂ，３３ｃ，３３ｄ，３３ｅ，３３ｆ，３３ｇ，３３ｈ  配管、３４  熱動弁、３５  ポンプ、３６ａ  高温暖房端末、３６ｂ  低温暖房端末、ＤＲ１  第１方向、ＤＲ２  第２方向、Ｈ１，Ｈ２  高さ、Ｌ  直線、Ｗ１，Ｗ２  幅、θ  角度。
【図１】
2019109034.tif 000003
【図２】
2019109034.tif 000004
【図３】
2019109034.tif 000005
【図４】
2019109034.tif 000006
【図５】
2019109034.tif 000007
【図６】
2019109034.tif 000008
【図７】
2019109034.tif 000009
【図８】
2019109034.tif 000010
【図９】
2019109034.tif 000011
【図１０】
2019109034.tif 000012